(57)【特許請求の範囲】
【請求項１】
加圧された閉鎖系の漏出抵抗性を高める方法であって、
上面に露出部分を有する隔壁によって密封された容器を備え、５ｐｓｉｇ以上の正圧下に維持されている閉鎖系を用意するステップと、
前記隔壁の前記露出部分に形成される隆起又は変形のサイズを縮小するように、
（ｉ）前記隔壁の前記露出部分の内側に配置された境界部分の少なくとも一部分であって、前記境界部分が、前記隔壁の前記露出部分の周縁部に隣接し、前記周縁部に沿って延び、前記隔壁の前記露出部分の前記周縁部と一致する外周と、前記隔壁の前記露出部分の内側に配置された内周とを有し、前記内周及び前記外周が前記境界部分の領域を画定する、前記境界部分の少なくとも一部分、及び
（ii）前記隔壁の前記露出部分の中心部分の少なくとも一部分であって、前記中心部分が、前記隔壁の前記露出部分の中心から前記境界部分の前記内周まで延び、前記境界部分の前記内周によって画定された領域を有する、前記中心部分の少なくとも一部分
と接触するように、硬質構成部品の接触面を固定して配置するステップと
を含み、硬質構成部品が、それぞれが１本の針を収容する２つの通路を有し、前記硬質構成部品の接触面が複数の開口部を有し、前記開口部を通って前記針が延びる、前記方法。
【請求項２】
閉鎖系で維持される正圧が５ｐｓｉｇ〜３５０ｐｓｉｇの範囲にある、請求項１に記載の方法。
【請求項３】
針のそれぞれの端部が、硬質構成部品の接触面の複数の開口部から、隔壁の露出部分に形成された複数の開口部を通って延びる、請求項１又は２に記載の方法。
【請求項４】
硬質構成部品が、通路内にニードルガイドチューブを備え、前記ニードルガイドチューブが、針の横方向の移動を防止する、請求項３に記載の方法。
【請求項５】
容器が、ヒト患者又は動物患者に注入するための、又はベッセル容器に送達するための製品を収容する、請求項１〜４のいずれかに記載の方法。
【請求項６】
製品が、有効薬剤成分、放射性成分、又はそれらの混合物を収容する医療デバイス又はデリバリシステムである、請求項５に記載の方法。
【請求項７】
隔壁密封容器から物質を移送するときに、外力を用いて隔壁を圧縮するステップをさらに含む、請求項１〜６のいずれかに記載の方法。
【請求項８】
上面に露出部分を有する隔壁によって密封された容器を備え、５ｐｓｉｇ以上の正圧下に維持されている閉鎖系の漏出抵抗性を高めるためのキットであって、
接触面を有する硬質構成部品であって、
前記隔壁の前記露出部分に形成される隆起又は変形のサイズを縮小するように、
（ｉ）隔壁の露出部分の内側に配置された境界部分の少なくとも一部分であって、前記境界部分が、前記隔壁の前記露出部分の周縁部に隣接し、前記周縁部に沿って延び、前記隔壁の前記露出部分の前記周縁部と一致する外周と、前記隔壁の前記露出部分の内側に配置された内周とを有し、前記内周及び前記外周が、前記境界部分の領域を画定する、前記境界部分の少なくとも一部分、及び
（ii）前記隔壁の前記露出部分の中心部分の少なくとも一部分であって、前記中心部分が、前記隔壁の前記露出部分の中心から前記境界部分の前記内周まで延び、前記境界部分の前記内周によって画定された領域を有する、前記中心部分の少なくとも一部分
と接触するように固定して配置でき、それぞれが１本の針を収容する２つの通路を有する硬質構成部品を備え、前記硬質構成部品の接触面が複数の開口部を有し、前記開口部を通って前記針が延びる、前記キット。
【請求項９】
閉鎖系で維持される正圧が、５ｐｓｉｇ〜３５０ｐｓｉｇの範囲にある、請求項８に記載のキット。
【請求項１０】
針のそれぞれの端部が、硬質構成部品の接触面の複数の開口部から、隔壁の露出部分に形成された複数の開口部を通って延びる、請求項８又は９に記載のキット。
【請求項１１】
硬質構成部品が、通路内にニードルガイドチューブを備え、前記ニードルガイドチューブが、針の横方向の移動を防止する、請求項１０に記載のキット。
【請求項１２】
硬質構成部品を隔壁の露出部分に対して固定位置に留めるインジェクタアセンブリをさらに備える、請求項８〜１１のいずれかに記載のキット。
【発明の詳細な説明】
【技術分野】
【０００１】
本発明は、針と隔壁との境界における漏出抵抗性を高める方法に関する。より詳細には、本発明は、少なくとも約３４．５ｋＰａ(５ｐｓｉｇ)の正圧下に維持された、隔壁密封容器を含む閉鎖系の漏出抵抗性を高める方法を提供する。
【背景技術】
【０００２】
薬剤、試薬、又は他の薬学関連物質を保持し、滅菌性を維持するために使用されるバイアル及び他の市販の容器は、一般に、高い正圧に耐えるように設計されていない隔壁で密封されている。こうした隔壁密封容器中の化合物又は製品を移送するには、安全且つ効率的に患者又はレセプタクルに注入するために、容器を通してその製品をフラッシングし押し出す必要がある場合がある。２針型システムを使用して、隔壁密封容器のフラッシング及び洗浄を容易にすることができる。一方の針はフラッシング流体を押し通し、第２の針は、製品及びフラッシング流体を抜き出して移送管を通して患者に送る。容器から患者への移送管は、通常、内径が非常に小さい、長いカテーテルである。長さが長く且つ直径が小さいと、カテーテルの入口から出口までの圧力降下が非常に大きくなる。したがって、カテーテルを通して流体を移動させるために必要になるポンプ力のため、密封容器に生じる背圧が大きくなる。これらのタイプの密封容器における漏出により、製品の完全性が失われる虞がある（特に、滅菌性が失われること、危険物質又は有毒物質が流出すること、及び効率的な処理のための十分な有効成分が失われること）。
【０００３】
一例として、長さ１メートルの３フレンチカテーテルを通して流速約１ｍＬ／ｓｅｃで水を流すと、約８２７．４ｋＰａ（１２０ｐｓｉｇ）の圧力降下が必要になる。３フレンチカテーテルは、外径１ｍｍ、内径約０．６ｍｍである。１ｍＬ／ｓｅｃの流速は適度であるが、この圧力の大きさ（８２７．４ｋＰａ；１２０ｐｓｉｇ）は非常に高く、隔壁のシールは、典型的には、こうした圧力に耐えるように設計されていない。
【０００４】
したがって、（ＴｈｅｒａＳｐｈｅｒｅ（登録商標）Ｙ−９０ガラスマイクロスフェア又はＳＩＲＳｐｈｅｒｅｓ（登録商標）Ｙ−９０レジンマイクロスフェアなど、治療用マイクロスフェアの場合と同様に）元々の容器から製品を安全に又は効率的に抜き出すことが難しい場合に、こうした高い圧力に対する隔壁の抵抗を改善する方法が必要である。隔壁密封容器内の基材に化学試薬を加えた後で混合するか又はすすぐなど、高い漏出抵抗性が望まれる他の適用例があり得る。こうした適用例は、最初は不活性であるマイクロスフェアに有効成分を追加するステップも含むことができ、このステップは、混合ステップもすすぎステップも含むことができる。
【発明の概要】
【発明が解決しようとする課題】
【０００５】
本発明は、針と隔壁との境界における漏出抵抗性を高める方法に関する。より詳細には、本発明は、少なくとも約３４．５ｋＰａ（５ｐｓｉｇ）の正圧下に維持されている、隔壁密封容器を含む閉鎖系の漏出抵抗性を高める方法を提供する。
【課題を解決するための手段】
【０００６】
本発明の一態様によれば、加圧された閉鎖系の漏出抵抗性を高める方法であって、
上面に露出部分を有する隔壁によって密封された容器を備え、少なくとも約３４．５ｋＰａ（５ｐｓｉｇ）の正圧下に維持されている閉鎖系を用意するステップと、
隔壁の露出部分に形成される隆起又は変形のサイズを縮小するように、
（ｉ）隔壁の露出部分の内側に配置された境界部分の少なくとも一部分であって、境界部分が、隔壁の露出部分の周縁部に隣接し、周縁部に沿って延び、隔壁の露出部分の周縁部と一致する外周と、隔壁の露出部分の内側に配置された内周とを有し、それらの内周及び外周が境界部分の領域を画定する、境界部分の少なくとも一部分、又は
（ii）隔壁の露出部分の中心部分の少なくとも一部分であって、中心部分が、隔壁の露出部分の中心から境界部分の内周まで延び、境界部分の内周によって画定された領域を有する、中心部分の少なくとも一部分、或いは
（iii）（ｉ）及び（ii）の両方
に隣接又は接触するように、硬質構成部品の接触面を固定して配置するステップと
を含む方法が提供される。
【０００７】
上記の方法のいくつかの例では、閉鎖系で維持される正圧は、約３４．５ｋＰａ（５ｐｓｉｇ）〜約２，４１３ｋＰａ（３５０ｐｓｉｇ）の範囲又はその範囲内の任意の値若しくは部分範囲、約３４．５ｋＰａ（５ｐｓｉｇ）〜約２４１．３ｋＰａ（３５ｐｓｉｇ）又はその範囲内の任意の値若しくは部分範囲、或いは約３４４．７ｋＰａ（５０ｐｓｉｇ）〜約２，４１３ｋＰａ(３５０ｐｓｉｇ)又はその範囲内の任意の値若しくは部分範囲にある。
【０００８】
他の例では、硬質構成部品の接触面は、実質的に平坦であるか、又は実質的に平坦な円形の面である。
【０００９】
本発明はまた、硬質構成部品が、１又は２以上の針を収容する１又は２以上の通路を有し、硬質構成部品の接触面が、１又は２以上の開口部を有し、その開口部を通って１又は２以上の針が延びる、上記で定義した方法にも関する。１又は２以上の針のそれぞれの端部が、硬質構成部品の接触面の１又は２以上の開口部から、１又は２以上の針の各端部によって露出部分を穿刺することによって、隔壁の露出部分に形成された１又は２以上の開口部を通って延びることができる。
【００１０】
上記で定義した方法のさらなる例では、硬質構成部品の接触面の１又は２以上の開口部は、接触面の中心部分の内側に配置されるか、接触面の端部又は周縁部に隣接して配置されるか、又は接触面の中心部分に配置された一開口部である。さらに、隔壁の露出部分に形成された１又は２以上の開口部を、隔壁の露出部分の中心部分の内側に配置するか、又は隔壁の露出部分の端部又は周縁部に隣接して配置することができる。
【００１１】
硬質構成部品の接触面上にある１又は２以上の開口部の全面積は、隔壁の露出部分の面積よりも小さくてよい。他の例では、硬質構成部品の接触面の面積は、隔壁の露出部分の面積と同じであるか、それよりも小さいか、又はそれよりも大きい。
【００１２】
上記で説明した方法で定義された中実構成部品は、１又は２以上の通路内の１又は２以上のニードルガイドチューブを備えることができ、その１又は２以上のニードルガイドチューブは、１又は２以上の針の横方向の移動、並びに隔壁の湾曲及びそれに続く歪みを防止する。
【００１３】
上記で定義された方法で定義された容器は、ヒト患者又は動物患者に注入するための、又はデリバリシステムなどの別のベッセル容器に送達するための製品を収容することができ、その製品は、薬学的に有効な製品、放射性製品、若しくはそれらの混合物、又は薬学的に有効な製品若しくは放射性製品を含む構成物若しくは医療デバイス、及び薬学的に許容される希釈剤又は担体、例えば、薬学的に有効な製品又は放射性製品を含む任意のサイズ又は形状のマイクロ粒子又はナノ粒子などの粒子を含む。さらに、その容器は、混合するか又はすすぐために使用することができる。
【００１４】
さらなる例では、金属又はプラスチックの圧着シールなど、圧着シールによって、隔壁を容器に封止することができる。
【００１５】
さらなる例では、上記で説明した方法はさらに、隔壁密封容器から物質を移送するときに、外力を用いて隔壁を圧縮するステップを含むことができる。
【００１６】
別の態様では、本発明は、上面に露出部分を有する隔壁によって密封された容器を備え、少なくとも約３４．５ｋＰａ（５ｐｓｉｇ）の正圧下に維持されている閉鎖系の漏出抵抗性を高めるためのキットであって、
接触面を有する硬質構成部品と、
隔壁の露出部分に形成される隆起又は変形のサイズを縮小するように、硬質構成部品を使用する取り扱い説明と
を備える、キットに関する。
【００１７】
本発明はまた、取り扱い説明が、
（ｉ）隔壁の露出部分の内側に配置された境界部分の少なくとも一部分であって、境界部分が、隔壁の露出部分の周縁部に隣接し、周縁部に沿って延び、隔壁の露出部分の周縁部と一致する外周と、隔壁の露出部分の内側に配置された内周とを有し、それらの内周及び外周が、境界部分の領域を画定する、境界部分の少なくとも一部分、又は
（ii）隔壁の露出部分の中心部分の少なくとも一部分であって、中心部分が、隔壁の露出部分の中心から境界部分の内周まで延び、境界部分の内周によって画定された領域を有する、中心部分の少なくとも一部分、或いは
（iii）（ｉ）及び（ii）の両方
に隣接又は接触するように、硬質構成部品の接触面を固定して配置するステップを説明している、上記で定義したキットにも関する。
【００１８】
上記のキットのいくつかの例では、閉鎖系で維持される正圧は、約３４．５ｋＰａ（５ｐｓｉｇ）〜約２，４１３ｋＰａ（３５０ｐｓｉｇ）の範囲又はその範囲内の任意の値若しくは部分範囲、約３４．５ｋＰａ（５ｐｓｉｇ）〜約２４１．３ｋＰａ（３５ｐｓｉｇ）又はその範囲内の任意の値若しくは部分範囲、或いは約３４４．７ｋＰａ（５０ｐｓｉｇ）〜約２，４１３ｋＰａ（３５０ｐｓｉｇ）又はその範囲内の任意の値若しくは部分範囲にある。
【００１９】
他の例では、硬質構成部品の接触面は、実質的に平坦であるか、又は実質的に平坦な円形の面である。
【００２０】
本発明はまた、硬質構成部品が、１又は２以上の針を収容する１又は２以上の通路を有し、硬質構成部品の接触面が、１又は２以上の開口部を有し、その開口部を通って１又は２以上の針が延びる、上記で定義したキットにも関する。１又は２以上の針のそれぞれの端部が、硬質構成部品の接触面の１又は２以上の開口部から、１又は２以上の針の各端部によって露出部分を穿刺することによって、隔壁の露出部分に形成された１又は２以上の開口部を通って延びることができる。
【００２１】
上記で定義したキットのさらなる例では、硬質構成部品の接触面の１又は２以上の開口部は、接触面の中心部分の内側に配置されるか、接触面の端部又は周縁部に隣接して配置されるか、又は接触面の中心部分に配置された一開口部である。さらに、隔壁の露出部分に形成された１又は２以上の開口部を、隔壁の露出部分の中心部分の内側に配置するか、又は隔壁の露出部分の端部又は周縁部に隣接して配置することができる。
【００２２】
上記で説明したキットに含まれる硬質構成部品の接触面上にある１又は２以上の開口部の全面積は、隔壁の露出部分の面積よりも小さくてよい。他の例では、硬質構成部品の接触面の面積は、隔壁の露出部分の面積と同じであるか、それよりも小さいか、又はそれよりも大きい。
【００２３】
上記で説明したキットで定義された中実構成部品は、１又は２以上の通路内に１又は２以上のニードルガイドチューブを備えることができ、１又は２以上のニードルガイドチューブは、１又は２以上の針の横方向の移動、並びに隔壁の湾曲及びそれに続く歪みを防止する。
【００２４】
上記で定義したキットはさらに、隔壁で密封された容器を備えることができ、その容器は、ヒト患者又は動物患者に注入するための、又はデリバリシステムなどの別のベッセル容器に送達するための製品を収容することができ、その製品は、薬学的に有効な製品、放射性製品、若しくはそれらの混合物、又は薬学的に有効な製品若しくは放射性製品を含む構成物若しくは医療デバイス、及び薬学的に許容される希釈剤又は担体、例えば、薬学的に有効な製品又は放射性製品を含む任意のサイズ又は形状のマイクロ粒子又はナノ粒子などの粒子を含む。さらに、その容器は、混合するか又はすすぐために使用することができる。
【００２５】
さらなる一例では、金属又はプラスチックの圧着シールなど、圧着シールによって、隔壁を容器に封止することができる。
【００２６】
上記で説明したキットは、硬質構成部品を隔壁の露出部分に対して固定位置に留めるインジェクタアセンブリを含むこともできる。
【００２７】
さらなる態様では、本発明は、上面に露出部分を有する隔壁で密封された容器を備え、少なくとも約３４．５ｋＰａ（５ｐｓｉｇ）の正圧下で維持されている閉鎖系の漏出抵抗性を高める、接触面を有する硬質構成部品の使用に関し、硬質構成部品の接触面は、隔壁の露出部分に形成される隆起又は変形のサイズを縮小するのに適している。
【００２８】
さらなる態様では、本発明は、隔壁の露出部分に形成される隆起又は変形のサイズを縮小する接触面を有する硬質構成部品の使用に関し、隔壁の露出部分は隔壁の上面に配置され、隔壁は容器に封止され、隔壁で密封された容器は、少なくとも約３４．５ｋＰａ（５ｐｓｉｇ）の正圧下に維持されている閉鎖系の一部分を形成する。
【００２９】
本発明はまた、
（ｉ）隔壁の露出部分の内側に配置された境界部分の少なくとも一部分であって、境界部分が、隔壁の露出部分の周縁部に隣接し、周縁部に沿って延び、隔壁の露出部分の周縁部と一致する外周と、隔壁の露出部分の内側に配置された内周とを有し、それらの内周及び外周が、境界部分の領域を画定する、境界部分の少なくとも一部分、又は
（ii）隔壁の露出部分の中心部分の少なくとも一部分であって、中心部分が、隔壁の露出部分の中心から境界部分の内周まで延び、境界部分の内周によって画定された領域を有する、中心部分の少なくとも一部分、或いは
（iii）（ｉ）及び（ii）の両方
に隣接又は接触するように、硬質構成部品の接触面を固定して配置する、上記で定義した使用にも関する。
【００３０】
上記の使用のいくつかの例では、閉鎖系で維持される正圧は、約３４．５ｋＰａ（５ｐｓｉｇ）〜約２，４１３ｋＰａ（３５０ｐｓｉｇ）の範囲又はその範囲内の任意の値若しくは部分範囲、約３４．５ｋＰａ（５ｐｓｉｇ）〜約２４１．３ｋＰａ（３５ｐｓｉｇ）の範囲又はその範囲内の任意の値若しくは部分範囲、或いは約３４４．７ｋＰａ（５０ｐｓｉｇ）〜約２，４１３ｋＰａ（３５０ｐｓｉｇ）の範囲又はその範囲内の任意の値若しくは部分範囲にある。
【００３１】
上記で説明した使用の他のいくつかの例では、硬質構成部品の接触面は、実質的に平坦であるか、又は実質的に平坦な円形の面である。
【００３２】
本発明はまた、硬質構成部品が、１又は２以上の針を収容する１又は２以上の通路を有し、硬質構成部品の接触面が、１又は２以上の開口部を有し、その開口部を通って１又は２以上の針が延びる、上記で定義した使用に関する。１又は２以上の針のそれぞれの端部が、硬質構成部品の接触面の１又は２以上の開口部から、１又は２以上の針の各端部によって露出部分を穿刺することによって、隔壁の露出部分に形成された１又は２以上の開口部を通って延びることができる。
【００３３】
上記で定義した使用のさらなる例では、硬質構成部品の接触面の１又は２以上の開口部は、接触面の中心部分の内側に配置されるか、接触面の端部又は周縁部に隣接して配置されるか、又は接触面の中心部分に配置された一開口部である。さらに、隔壁の露出部分に形成された１又は２以上の開口部を、隔壁の露出部分の中心部分の内側に配置するか、又は隔壁の露出部分の端部又は周縁部に隣接して配置することができる。
【００３４】
本発明はまた、硬質構成部品の接触面上にある１又は２以上の開口部の全面積は、隔壁の露出部分の面積よりも小さい、上記で定義した使用にも関する。他の例では、硬質構成部品の接触面の面積は、隔壁の露出部分の面積と同じであるか、それよりも小さいか、又はそれよりも大きい。
【００３５】
上記で説明した使用で定義された中実構成部品は、１又は２以上の通路内に１又は２以上のニードルガイドチューブを備えることができ、１又は２以上のニードルガイドチューブは、１又は２以上の針の横方向の移動、並びに隔壁の湾曲及びそれに続く歪みを防止する。
【００３６】
本発明はまた、上記で説明した使用にも関し、容器は隔壁で密封されており、その容器は、ヒト患者又は動物患者に注入するための、又はデリバリシステムなどの別のベッセル容器に送達するための製品を収容することができ、その製品は、薬学的に有効な製品、放射性製品、若しくはそれらの混合物、又は薬学的に有効な製品若しくは放射性製品を含む構成物若しくは医療デバイス、及び薬学的に許容される希釈剤又は担体、例えば、薬学的に有効な製品又は放射性製品を含む任意のサイズ又は形状のマイクロ粒子又はナノ粒子などの粒子を含む。さらに、その容器は、混合するか又はすすぐために使用することができる。
【００３７】
さらなる一例では、金属又はプラスチックの圧着シールなど、圧着シールによって、隔壁を容器に封止することができる。
【００３８】
本発明のこれらの及び他の特徴は、添付の図面を参照する以下の説明からより明らかになるであろう。
【図面の簡単な説明】
【００３９】
【図１】鋭利なベベル端部を有する、近位では制限され遠位では制限されない針を、エラストマー系隔壁を通して挿入することによる湾曲した結果を示す。
【図２】隔壁密封容器の隔壁の露出部分に隣接する位置に硬質の足場（scaffold）を配置するステップを含む、隔壁の変形を低減する本発明による方法の一例を示す。
【図３】隔壁密封容器の隔壁の露出部分に接触させて足場を配置するステップを含む、隔壁の変形を低減する本発明による方法の一例を示す。
【図４】隔壁密封容器の隔壁の露出部分と接触させて足場を配置するステップと、その足場に外部の圧縮力を加えるステップとを含む、隔壁の変形を低減する本発明による方法のいくつかの例を示す。
【図５】隔壁密封容器の隔壁の露出部分と接触させて足場を配置するステップと、その足場に外部の圧縮力を加えるステップとを含む、隔壁の変形を低減する本発明による方法のいくつかの例を示す。
【図６】本発明による隔壁の一例の露出部分の上面図を示す。
【図７Ａ−Ｃ】本発明による足場のいくつかの例の底面図を示す。
【図８Ａ−Ｃ】図６に示す隔壁の露出部分と接触している、図７Ａ〜図７Ｃに示す足場の例の断面上面図を示す。足場の接触面は、図では、各足場と隔壁の露出部分との間の接触領域を示すのを助けるために網掛けしている。
【図９】本発明による足場を備えたインジェクタアセンブリの一例の断面立面図を示す。
【図１０】隔壁密封バイアルの隔壁の露出部分に隣接して配置された図９に示すインジェクタアセンブリの断面立面図を示す。
【図１１】隔壁密封バイアルの隔壁の露出部分に隣接して配置された図９に示すインジェクタアセンブリの断面立面図を示す。
【発明を実施するための形態】
【００４０】
本発明は、針と隔壁との境界における漏出抵抗性を高める方法に関する。より詳細には、本発明は、少なくとも約３４．５ｋＰａ（５ｐｓｉｇ）の正圧下に維持された、隔壁密封容器を含む閉鎖系の漏出抵抗性を高める方法を提供する。
【００４１】
圧力下で隔壁密封容器から最初に漏出する通常の位置は、隔壁と針との境界である。隔壁密封容器の漏出（又は圧力）抵抗性は、隔壁を容器に留めるシールを圧着した直後には適度に高くすることができるが、その値は、ほとんどのエラストマー系シール材で必然的に起きるクリープ（ストレス下にある間の永久的な変形又は弛緩）のため徐々に低下する。漏出抵抗性の低下は、バイアルの内容物によって、つまり製品と隔壁との間の化学的相互作用又は物理的相互作用によって加速する場合がある。Ｙ−９０マイクロスフェアの場合は、製品が放射するベータ粒子によって生じる放射線損傷によって物理的相互作用が起きる。隔壁に対して相互作用する物質の位置は、損傷、及びそれに続くクリープ又は弛緩の割合を判定する際の主な因子である。「弛緩」している隔壁の漏出抵抗性は３４．５ｋＰａ（５ｐｓｉｇ）未満になる虞がある。
【００４２】
隔壁密封容器の高圧試験中に観察されたことによると、試験下の隔壁が、内圧によって外に「隆起」する（すなわち、ひどいゆがみ又は大きい歪みを受ける）傾向があり、その内圧は隔壁の漏出抵抗性を徐々に低下させた。図１に、隔壁１０上の望ましくない歪みの別の形態を示す。こうした歪みは、針２０ａ、２０ｂが隔壁中に挿入されるときに、具体的には、先端部がベベル断面３０で鋭利になっている針の場合に起きる。ベベル断面の針が隔壁１０中に挿入されるときには、鋭利な先端部で作られる最初の開口部は隔壁１０の本体内に傾斜した孔を作り出し、針２０ａ、２０ｂが横方向の制限なしで挿入される場合にその傾斜した孔を追従する傾向がある。本発明では、用語「針」は、中空のチューブ若しくはカニューレ、又はシリンジ様の針を指す。マイクロスフェアを流体化し、隔壁密封容器から移送する場合など、場合によっては、最適な流れの特徴（すなわち、マイクロスフェアの急速な流体化及び移送）のために、針を正確に配置することが重要である。これらの場合のいくつかでは、横方向の移動を針の遠位端では制限せず、針の近位端で制限するようにして、針を挿入する可能性がある。こうした針は、最初の孔の方向を追従するように曲がる。
【００４３】
先端部がベベル断面である、近位では制限され遠位では制限されない針を挿入し終わるときには、望ましくない２つの結果が生じる。まず、針が曲がり、容器中の望ましい位置に配置できなくなる虞がある。次に、針が曲がったため、隔壁がひどい横方向の歪みを受け、その歪みは、隔壁を通る針の挿入領域５０に局在化する。こうした歪みは、隔壁が膨らんだ加圧バイアルで、近位では制限され遠位では制限されない針を使用する場合に大きくなる。したがって、こうした局在化した歪みは、さらに大幅に、針と隔壁との境界における漏出抵抗性を低下させることがある。
【００４４】
本発明は、図２〜図５に示す隔壁密封容器を備える閉鎖系において、隔壁と針との境界における漏出抵抗性を高める３つの総合的な手法を提供する。図２〜図５に示す隔壁密封容器はバイアル６０を含み、そのバイアル６０には隔壁１０が嵌合されている。隔壁は、容器とのシールを形成し、少なくとも１つの針で穿刺して製品を容器の外に移送することができる任意のエラストマー系閉鎖具とすることができる。隔壁１０は、圧着式のキャップ７０によって適位置に留められており、そのキャップ７０は、その上端に、隔壁１０の上面の一部分８０を露出する開口部を有する。図示のいくつかの方法では、隔壁１０の露出部分８０に形成される隆起又は変形１００のサイズを、比較的体積が小さい隆起部１７０のサイズまで縮小するように、硬質の足場構成部品９０が、クランプ又は他のタイプの拘束構成部品によって、隔壁１０の露出部分８０に又はその近くに固定式に保持されている。足場構成部品９０は、１対の針２０ａ、２０ｂを収容するための１又は２以上の通路（１１０；１２０ａ、１２０ｂ）を有し、それらの針２０ａ、２０ｂを使用して、バイアル６０の内容物を希釈し、バイアル６０をすすぎ、バイアル６０の内容物を投与する。針２０ａ、２０ｂは、足場構成部品９０の接触面１５０に配置された１又は２以上の開口部（１３０；１４０ａ、１４０ｂ）から、隔壁を通して針のベベル状端部を穿刺することによって、隔壁の露出部分に形成された１対の開口部を通って延びる。
【００４５】
足場本体の移動は、足場構成部品自体の強度及び硬度によって制限され、且つクランプなど、外部の保持構造又はデバイスによって制限されていてもよい。概して、隔壁よりもずっと硬質であり、隔壁から延びる隆起の力で押されたときにごくわずかしか撓まないほど厚い任意の材料をこの目的で使用することができる。
【００４６】
図２〜図４に示すいくつかの方法では、足場構成部品９０は、隔壁１０の露出部分８０に隣接して固定位置に保持されるか（図２）、或いは外部の剛体化機構又は剛構造によって隔壁１０の露出部分８０に直接保持されて（図３〜図４）、隔壁１０の露出部分８０に形成される隆起又は変形１００を少なくとも部分的に平坦にする。図４〜図５に示す方法では、隔壁密封容器から物質を移送するときに、外部圧縮力１８０も足場に対して下方向に加えられて、隔壁に対する圧力が維持される。インジェクタアセンブリなど、こうした力を加える任意の一般的な方法を用いることができ、これは、以下でより詳細に説明する。
【００４７】
挿入の際に針の撓み及び湾曲によって生じる隔壁のゆがみを最小限に抑えるために、剛性のニードルガイド１９０ａ、１９０ｂを隔壁１０の非常に近くに配置することができ、そのため、隔壁に作られる最初の孔が挿入方向に適度に位置合わせされる（図５参照）。ニードルガイド１９０ａ、１９０ｂはまた、最適な流体の流れの特徴のために、針を適度にまっすぐに、かつ所望の位置と位置合わせされるように維持するように働く。ニードルガイドは、この系の組み立て中に足場構成部品９０の通路１２０ａ、１２０ｂに針２０ａ、２０ｂを挿入するのを容易にするように、広がった近位端２００を有していてもよい。
【００４８】
全ての足場法に関して、隔壁のゆがみを制限する足場本体９０の１又は２以上の開口部（１３０；１４０ａ、１４０ｂ）の面積は、理想的には隔壁１０の露出部分８０の面積よりも小さい。さらに、隔壁のうちの隆起できる部分の直径を縮小すると、所与の圧力に関するゆがみが小さくなり、したがって、漏出抵抗性が高められる。さらに、足場の接触面に、ちょうど針の挿入を可能にするのに十分に大きい開口部を設けると、足場の効果が最大になる。
【００４９】
図２〜図４に示すいくつかの例では、隔壁１０の露出部分８０は、別々の２つのサブセクション、すなわち、（ｉ）隔壁の露出部分の内側に配置され、隔壁の露出部分の周縁部２３０に隣接して配置され、それに沿って延びる、境界部分２１０と、（ii）隔壁の露出部分の中心から境界部分の内周２４０まで延びる中心部分２２０とを有する（図６）。境界部分２１０は、隔壁の露出部分の周縁部２３０と一致する外周と、隔壁の露出部分の内側に配置された内周２４０とを有し、それらの内周及び外周が境界部分の領域を画定する。中心部分２２０の領域は、境界部分の内周２４０によって画定される。
【００５０】
図２〜図４に示す足場構成部品９０は、接触面１５０にある中心に配置された単一の開口部１１０を有する（図７Ａ）。図８Ａには、図７Ａに示す足場構成部品９０と隔壁１０の露出部分８０（図６）との重なり合う領域が、隔壁１０の露出部分８０の境界部分２１０の領域に限定されることを網掛けで示す。その結果、図７Ａに示す足場の接触面１５０と接触する際に、隔壁の露出部分に形成された隆起又は変形の外側部分のみが平坦にされる。
【００５１】
図７Ｃに足場の代替例を示す。その足場の代替例は、隔壁１０の露出部分８０の中心部分２２０とサイズがほぼ同じである。図８Ｃに、図７Ｃに示す足場構成部品９０と隔壁１０の露出部分８０（図６）との重なり合う領域が、隔壁１０の露出部分８０の中心部分２２０の領域に限定されることを網掛けで示す。その結果、図７Ｃに示す足場の接触面１５０と接触する際に、隔壁の露出部分に形成された隆起又は変形の中心部分のみが平坦にされる。
【００５２】
その結果、図２〜図４、図７Ａ及び図７Ｃに示す足場を使用する本発明によるいくつかの方法は、隔壁の露出部分の内側に形成された隆起の全体のサイズを縮小することができるが、その隆起を完全に無くすことはできない。
【００５３】
図５に示す例では、中心に配置された別々の２つの開口部１４０ａ、１４０ｂは、足場構成部品９０の接触面１５０に存在し（図７Ｂ）、そのため、足場構成部品の接触面１５０が、境界部分２１０の領域の全て、及び隔壁１０の露出部分８０の中心部分２２０の領域のほとんどと接触している（図８Ｂ）。その結果、本発明のこの例の方法は、隔壁の露出部分に形成される隆起又はゆがみも完全に無くすことができる。
【００５４】
必要とされる隔壁の歪みを制御する程度は、必要な圧力と、隔壁の設計と、収容した製品の保存期間及び相互作用の程度に基づいて起きる弛緩の量との関数である。最も効率的な歪み制御（使用時に隔壁を圧縮する外力）により、２，４１３ｋＰａ（３５０ｐｓｉｇ）の圧力を使用することが可能になる。あまり大きい圧力（例えば、３４．５ｋＰａ（５ｐｓｉｇ）未満）に耐えることができない完全に弛緩した隔壁の場合には、前述の歪み制御方法（ニードルガイドと組み合わせた足場）は、漏出抵抗性を３４．５ｋＰａ（５ｐｓｉｇ）〜最大約２，４１３ｋＰａ（３５０ｐｓｉｇ）まで高めることができ、使用する方法は圧力要件に応じて変わる。
【００５５】
図９を参照すると、図５に示す足場に接続されたプランジャ機構を備えたインジェクタアセンブリ２５０の一例が示されており、そのインジェクタアセンブリ２５０は、プランジャスリーブ２７０内に摺動可能に配置されたプランジャ２６０を含む。プランジャスリーブは、針２０ａ及び２０ｂを収容するための長手方向に延びる内側コンパートメントを有し、その内側コンパートメントは、中間の位置でプランジャ２６０の内部に固定されている。針２０ａは、薬学的に許容される生理食塩水又は緩衝剤などの希釈剤の源に連結され、針２０ｂは、患者に挿入するために下流の受け取り用バイアル又はカテーテルに連結される。使用前には、プランジャは、針２０ａ及び２０ｂの下端がプランジャスリーブ２７０及び足場９０内の通路の上部内で囲繞された格納位置にあり、足場９０の接触面がキャップ２９０でカバーされて、滅菌した足場表面が汚染されないように保護されている。
【００５６】
本発明によるデリバリシステムを組み立てるためには、足場９０の接触面の中心を隔壁１０の露出部分の中心と位置合わせして、隔壁密封バイアル６０が、インジェクタアセンブリ２５０の足場構成部品９０の下に配置される。インジェクタアセンブリ２５０のハンドル２６５の上部に圧力を加えると、針２０ａ及び２０ｂの端部が、足場９０の接触面の開口部を通って下方向に延び、隔壁１０を穿孔し、バイアル６０に入る（図１０）。プランジャ２６０の遠位端部分２７５を足場９０の上面２８５に接触させることによって、針がさらに延びないように制限している。インジェクタアセンブリは、プラスチック製スナップ又はボールプランジャのデテントなどのデテントを含んでいでもよい。それらのデテントは、プランジャ２６０の遠位端部分２７５が足場９０の上面２８５に係合するときに、プランジャ２６０に取り付けられ、プランジャスリーブ２７０内に配置された留め縁部又は孔と係合し、それによりプランジャ２６０の後退が防止される。
【００５７】
所望の化合物又は構成物を収容するバイアルを、バイアルホルダ３１０内に配置することができ、そのバイアルホルダ３１０は、足場９０を収容するための上部穴を有する（図１１）。バイアルが放射性物質を収容しているときは、バイアルホルダは、アクリラート又は鉛などの材料から放射される放射線を減衰させる保護物質から作製することができる。バイアルホルダはまた、プランジャスリーブ２７０及び足場９０をバイアル６０の上部と位置合わせするのを助けるようにカラー３００を含む。足場及びプランジャスリーブの遠位端が、デリバリシステムを組み立てるプロセス中にバイアルホルダ中に移動するときに、足場９０の底部に配置された圧縮ばねリング３０５が、カラーの上端部の内側径方向表面内に配置された溝内（図示せず）で受けられて、カラーと、プランジャスリーブの底部分と、足場９０との間に圧縮嵌合部が形成され、これは、足場をバイアルホルダ内に固定して留める。
【００５８】
５〜３５ｐｓｉの正圧下に維持された、加圧された閉鎖系の漏出抵抗性を高めるための本発明の方法を用いて行った１３０１人の患者の治療を含む８か月間に、隔壁及び系の隣接する構成部品からの漏出が無いことが報告された。
【００５９】
本明細書で開示する本発明の実施形態は、本発明の原理を代表するものであることを理解されたい。使用できる他の改変形態は、本発明の範囲内に包含される。したがって、限定ではなく一例として、本明細書の教示に従って本発明の代替の構成を利用することができる。したがって、本発明は、正確に示し説明した発明に限定されない。
【図１】
0005917152.tif 000002
【図２】
0005917152.tif 000003
【図３】
0005917152.tif 000004
【図４】
0005917152.tif 000005
【図５】
0005917152.tif 000006
【図６】
0005917152.tif 000007
【図７Ａ】
0005917152.tif 000008
【図７Ｂ】
0005917152.tif 000009
【図７Ｃ】
0005917152.tif 000010
【図８Ａ】
0005917152.tif 000011
【図８Ｂ】
0005917152.tif 000012
【図８Ｃ】
0005917152.tif 000013
【図９】
0005917152.tif 000014
【図１０】
0005917152.tif 000015
【図１１】
0005917152.tif 000016